(57)【特許請求の範囲】
【請求項１】
歯科診療椅子、ドクターテーブル、ドクターカート、アシスタントハンガ、スピットン、診療用無影灯それぞれの単体、あるいは前記単体の何れかの組み合わせにて構成される歯科診療ユニットを、診療のために任意の位置に移動する移動手段と、診療後に前記歯科診療ユニットを移動して収納する収納手段とを有し、前記歯科診療ユニットを移動することにより多目的空間を形成する歯科診療ユニットにおいて、
前記歯科診療ユニットを回転手段としての水平回転するターンテーブルに搭載し、かつ前記ターンテーブルは床に設置するとともに、その上面を当該床の床面と同一面にし、
さらに該ターンテーブルの回転機構を前記床の床下に設けるとともに前記歯科診療ユニットを移動して収納する収納手段としての収納キャビネットを、
その下面を前記ターンテーブルの上面に対向させて床面に設置することにより構成し、
前記歯科診療ユニットを前記回転手段としてのターンテーブルを回転することにより、診療時には収納キャビネットに収納された歯科診療ユニットを診療位置に移動し、診療終了時には歯科診療ユニットを収納キャビネット内に移動し収納して、診療室内に多目的空間を形成することを特徴とする回転収納式歯科診療ユニット。
【請求項２】
前記ターンテーブルの下面を、ローラキャスタにて回転自在に支えることを特徴とする請求項１記載の回転収納式歯科診療ユニット。
【請求項３】
前記ターンテーブルの下面を、エアキャスタにて回転自在に支えることを特徴とする請求項１記載の回転収納式歯科診療ユニット。
【請求項４】
前記ターンテーブルの回転軸中心に歯科診療器具の作動に必要な配線や配管を挿通したことを特徴とする請求項１記載の回転収納式歯科診療ユニット。  
【請求項５】
前記ターンテーブルは、歯科診療ユニットを搭載して回転し、搭載した歯科診療ユニットが診療位置または収納位置まで移動したときにその位置にて該ターンテーブルをロックすることを特徴とする請求項１記載の回転収納式歯科診療ユニット。
【請求項６】
前記ターンテーブルに前記歯科診療ユニットを搭載するとともに前記歯科診療椅子を回転可能に構成したことを特徴とする請求項１記載の回転収納式歯科診療ユニット。
【請求項７】
前記収納キャビネットは、全ての診療ユニットを収納し得るように、その前面に左右の少なくとも一辺を回転軸として前方に開閉可能な開閉扉を設け、該開閉扉上辺に収納時における収納部の上面を覆うと共に、診療時には上方に開いて空間を遮るパーテーションとなる上蓋を回動自在に設けたことを特徴とする請求項１記載の回転収納式歯科診療ユニット。
【請求項８】
前記収納キャビネットの開閉扉開放端下方に床面を押圧しつつ走行する緩衝装置付きローラキャスタを設けたことを特徴とする請求項１または７記載の回転収納式歯科診療ユニット。
【請求項９】
前記収納キャビネットの開閉扉の内壁面にスピットンおよびアシスタントハンガを取りつけて、該開閉扉を閉止したときにスピットンおよびアシスタントハンガが歯科診療椅子の座部上方の空間に位置することを特徴とする請求項１記載の回転収納式歯科診療ユニット。
【請求項１０】
前記収納キャビネットの側壁面または奥壁面のいずれかに無影灯および／またはディスプレイを回動自在に取り付けたことを特徴とする請求項１記載の回転収納式歯科診療ユニット。
【請求項１１】
前記歯科診療ユニットは歯科診療椅子が診療位置に移動したとき作動可能になることを特徴とする請求項１記載の回転収納式歯科診療ユニット。
【請求項１２】
前記収納キャビネットの開閉扉がターンテーブルの回転に連動して開閉することを特徴とする請求項１または２記載の回転収納式歯科診療ユニット。
【請求項１３】
前記ターンテーブルが開閉扉の回転に連動して回転することを特徴とする請求項１または７記載の回転収納式歯科診療ユニット。
【発明の詳細な説明】
【技術分野】
【０００１】
本発明は、歯科診療ユニットを診療位置に移動する移動手段と、診療後に前記歯科診療ユニットを収納位置に移動して収納する収納手段とを有し、前記歯科診療ユニットを移動することにより歯科診療室内に多目的空間を形成する歯科診療ユニットに関する。
【背景技術】
【０００２】
従来、歯科診療ユニットは診療室内に固定されている場合が多いが、歯科診療ユニットを診療位置に移動する移動手段と、診療後に前記歯科診療ユニットを収納位置に移動して収納する収納手段とにより、歯科診療ユニットを移動して歯科診療室内に多目的空間を形成する歯科診療ユニットについては、例えば本願の出願人が先に出願した特許文献１に示される発明がある。
【０００３】
特許文献１の発明は、図34に示す収納キャビネット101内に歯科診療椅子137、ドクターカート125、スピットン123などの歯科診療ユニットを収納し、診療の際に、収納キャビネット101の開閉扉103を開いて歯科診療椅子137やドクターカート125などを診療位置に移動するように構成されている。しかしながら、この発明の収納手段は歯科診療椅子137を屈折式アーム105にてレッグレスト106側から引き込むためにバックレスト107側が収納キャビネット101の前面側になってしまいバックレスト107が障害となって収納キャビネット101内の座部108上方の空間にスピットン123やアシスタントハンガ124を収納することができない。このためにスピットン123は開閉扉103の厚さA内に収納することになり、開閉扉103の厚さが厚くなって収納キャビネット101の占める床面積が広くなる。従ってその分だけ歯科診療室内に形成する多目的空間の面積が狭くなるなどの問題がある。
【特許文献１】特願２００６−２７５４１１号
【特許文献２】特開平９−１２１９５８号公報
【特許文献３】特開平８−１３９１４号公報
【発明の開示】
【発明が解決しようとする課題】
【０００４】
解決しようとする問題点は、歯科診療ユニットを診療後に収納キャビネット内に移動して収納する際に、できるだけコンパクトに収納して収納キャビネットの占める床面積を小さくし、歯科診療室内に少しでも広い多目的空間を形成することである。
【課題を解決するための手段】
【０００５】
本発明は、上記課題を解決するために、歯科診療室内に少なくとも左右の一辺を回転軸として開閉する開閉扉を有する収納キャビネットを床面に設置し、一方、水平回転するターンテーブルを床に設置する。そしてターンテーブル上に歯科診療ユニットを搭載してターンテーブルを回転することにより、診療時にはターンテーブルの回転にて歯科診療ユニットを収納キャビネットの収納部から診療位置に移動し、診療終了時には診療位置から収納キャビネット内に移動し収納する構成である。なおターンテーブルの回転機構は床下に設置されている。また収納キャビネットの内部には収納された歯科診療ユニットを殺菌する殺菌灯等が設けられている。
【０００６】
更に、上記構成にてターンテーブル上に搭載された歯科診療ユニットである歯科診療椅子はターンテーブル上にて水平回転可能に構成されている。一方、開閉扉の内壁面にはスピットンおよびアシスタントハンガが取り付けられている。この構成にてターンテーブルを180度回転することにより歯科診療椅子を診療位置に移動し、その位置で更に歯科診療椅子自身をターンテーブル上にて回転して開閉扉の内壁面側に向けることによりカウンセリングが可能になる。また収納キャビネットに収納する際にはカウンセリング位置から歯科診療椅子自身を回転して元の診療位置に戻し、ターンテーブルを180度回転することにより収納位置に移動することができる。このとき収納された歯科診療椅子のバックレストは収納キャビネットの奥壁側に位置するので、開閉扉を閉止したときにスピットンおよびアシスタントハンガが歯科診療椅子の座面上方の空間に位置することができる。これにより収納キャビネット内の空間を有効利用し、スピットンおよびアシスタントハンガが占める床面積分を縮減して、診療室内に広い多目的空間を形成することができることを特徴とするものである。
【０００７】
この場合、ドクターカートおよびドクターチェアのそれぞれは収納キャビネット内における歯科診療椅子の両側方に移動して収納する。なお開閉扉は電動または手動開閉が可能であり、開閉をターンテーブルの回転に連動させることもできる。一方、収納キャビネットの開閉扉上辺には上蓋が開閉自在に設けられているので、この上蓋で収納部の上面を覆うと共に、上方に開くことによりパーテーションとして空間を仕切ることができる。更に開閉扉の上方には上部前面を覆う前蓋がその上辺を中心に回動自在に収納キャビネットの上辺に設けられており、この前蓋は収納された歯科診療ユニットの前面を覆うと共に、上方に開くことにより収納キャビネットの上部側壁内面または奥壁内面に回動自在に取り付けられた無影灯および／またはディスプレイを診療位置に展開することができる。
【０００８】
上記構成において、ターンテーブルに搭載した歯科診療ユニットをターンテーブルの回転により収納キャビネットの収納位置に移動してその位置をロックし、またターンテーブルの回転により歯科診療ユニットを診療位置に移動してその位置をロックする。
【０００９】
また、ターンテーブルは、その上面が床面と同一面に設けられ、下面が複数のローラキャスタまたはエアキャスタを介して回動自在に支持されている。またターンテーブルの回転軸中心には配線および配管が挿通されている。またターンテーブル上にて回転可能な歯科診療椅子は診療位置に向けられているときにのみハンドピースなどの診療器具の作動が可能に構成されている。
【００１０】
前記収納キャビネットの開閉扉は、開放端の下方における床面との間には床面を押圧しつつ走行する緩衝装置付きローラキャスタが設けられており、手押しあるいは電動にて回転が可能である。また開閉扉はターンテーブルの回転に連動して回転させることも可能である。
【発明の効果】
【００１１】
上記回転収納式歯科診療ユニットは、床に設置されたターンテーブル上に歯科診療ユニットである歯科診療椅子を搭載し、ターンテーブルを回転することにより歯科診療椅子を収納キャビネット内に移動して収納し、または収納キャビネット内から診療位置に移動することが可能に構成されており、更にターンテーブル上に搭載された歯科診療椅子自身はターンテーブル上にて水平回転可能に構成されているので、診療位置にて開閉扉の内壁面側に向けることによりカウンセリングが可能となり、歯科診療椅子を元の診療位置に戻してターンテーブルを180度回転すれば収納位置に戻すことができるので歯科診療椅子の移動が容易である。また開閉扉を閉止したときに開閉扉の内壁面に取り付けられたスピットンやアシスタントハンガが歯科診療椅子の座部上方の空間に位置させることができるので、収納キャビネット内の空間を有効利用することができる。従って空間を有効利用した分だけ収納キャビネットが占める床面積を縮小して多目的空間をより広く形成することが可能になる。
【００１２】
また、ターンテーブル上に搭載された歯科診療椅子が診療位置にあるときに診療器具の作動が可能になり、更にターンテーブルはロックを解除しなければ回転できない構成であるので安全である。また、ターンテーブルは、その上面が床面と同一面になっているので段差がなく、乗り降りのないバリアフリーで安全である。ターンテーブルの下面は複数のローラキャスタあるいはエアキャスタにて支えられているので回転が円滑である。また歯科診療に必要な配線や配管はターンテーブルの回転軸中心に挿通されて歯科診療器具に接続されているので、ターンテーブルの回転による配線や配管の折り曲げ、あるいはねじれなどの恐れがなく、長さを一定に保つことができる。更に、収納キャビネットは、収納された歯科診療ユニットの全面を覆っており、しかも内部には殺菌灯などが設けられているので夜間の診療していない時でも殺菌が行え、衛生が保たれる。
【発明を実施するための最良の形態】
【００１３】
歯科診療ユニットを収納キャビネット内にコンパクトに収納して診療室内に広い多目的空間を形成するという目的を、床にターンテーブルを設けると共にターンテーブル上に歯科診療ユニットを搭載し、ターンテーブルを回転することにより歯科診療ユニットを収納キャビネットに移動して収納し、また診療位置に移動することを容易にすると共に、歯科診療椅子自身をターンテーブル上にて水平回転可能に構成することにより、歯科診療椅子をカウンセリング位置に向けることができ、一方、収納キャビネットの開閉扉内壁面にスピットンおよびアシスタントハンガを取り付けて、開閉扉を閉止したときにスピットンおよびアシスタントハンガが歯科診療椅子の座部上方の空間に位置させることができるので、座部上方の空間を有効利用することができ、スピットンおよびアシスタントハンガを収納するキャビネットの床面積を縮小して診療室内に広い多目的空間を形成することを実現した。
【実施例１】
【００１４】
図1から図30は本発明の実施例１を示し、図1は収納キャビネットとターンテーブル概略を示す斜視図、図2から図8は回転収納式歯科診療ユニットの作用を説明する斜視図、図9から図12は開閉扉の緩衝装置付きローラキャスタを示す図、図13は床下の構成を示す一部断面図、図14はターンテーブルのロック機構の説明図、図15から図17は歯科診療椅子のロック機構の説明図、図18はエアキャスタを説明する一部断面図、図19はエアキャスタの配置を示す斜視図、図20から図30はターンテーブルの駆動を示す図である。
【００１５】
本実施例は，歯科診療ユニット６を診療位置に移動する移動手段と、診療後に前記歯科診療ユニット６を収納位置に移動して収納する収納手段とを有し、前記歯科診療ユニット６を移動することにより診療室内に広い多目的空間を形成することを目的とするものである。図1に示すように歯科診療ユニット６を収納する収納キャビネット1は、床面2a側の形状が長方形をなし、前面が本実施例では開閉扉3と上蓋4と前蓋5にて２段に形成されている。また収納キャビネット1が設置された下面にはターンテーブル19が設置されている。なお符号36はメンテナンス口を示す。そして図2に示すように開閉扉3は左側の一辺を回転軸として水平方向に開閉可能に構成され、上蓋4は開閉扉3の上辺3 a に開閉自在に設けられている。そしてこの上蓋4 は図1に示すように収納した歯科診療ユニット６の上面を覆うと共に、診療の際には図3に示すように垂直上方に開いてその位置を固定することにより空間を仕切るパーテーションとなるように構成されている。
【００１６】
また図1に示す前蓋5 は図3に示すように本実施例では２つ折れに構成され、上方の一辺5aを回転中心として開閉可能に構成されている。この前蓋5は歯科診療ユニット6の収納時に図1に示すように収納された歯科診療ユニット6の前面を覆い、診療時には図3に示すように上方に開いて固定することにより、無影灯7やディスプレイ8を診療位置に展開して診療態勢にすることができる。なお上記の開閉扉3は前開きに限らず、２枚扉の観音開き式、はねあげ式、シャッター式、あるいはカーテン式等に構成することもできる。なお、収納キャビネット１内には図示しない殺菌灯が設けられており収納された歯科診療ユニット６を殺菌し、衛生が保てるようになっている。
【００１７】
また、開閉扉3の開放端4b下方には図9、10、11、12に示すように緩衝装置付きローラキャスタ9が設けられ、開閉が容易になっている。この緩衝装置付きローラキャスタ9は、床面の平面度に多少の差があっても開放端4bが十分に支えられるようになっている。詳細には図9（a）に示す開閉扉3のA部を（b）（c）図に示すように床面2aに対して緩衝装置10内に弾設されたバネ11の付勢にてローラキャスタ９を押圧しており、複数のガイド軸12を介してローラキャスタ9は上下動可能であるので床面2aの平面度の多少の差を吸収しつつ開閉できる。そしてこのローラキャスタ9は開閉扉3の厚さ内にアングル13を介して取り付けられている。この構成において、図9（b）では、モータ18がガイド軸12の上端に固定されており、モータ軸14とキャスタ軸15それぞれにタイミングプーリ16a,16bを取り付け、両軸間をタイミングベルト17にて連結することにより動力伝達している。なおガイド軸12はローラキャスタ9の軸受けケース15aに固定されており、モータ18はガイド軸12の上端に固定されているのでモータ軸14とキャスタ軸15との軸間距離は常に一定に保たれている。
【００１８】
図10は、前記両軸14、15それぞれにギアA、Bを取り付け、両軸間をアイドルギアC、D、E、Fを介して動力伝達する例である。図11は、前記両軸14、15それぞれにスプロケットホイール20a,20bを取り付け、両軸間をチェーン21にて動力伝達する例である。図12は、開閉扉3の回転軸22にモータ18を取り付けて開閉する例を示す。なおローラキャスタ9に設けられた緩衝装置10の構成は前記例と同様であるのでその説明を省略する。
【００１９】
上記構成の収納キャビネット1は、図3に示すように開閉扉3の内壁面にスピットン23およびアシスタントハンガ24が取り付けられ、更に収納キャビネット1の側壁内面には無影灯7が、奥壁内面にはディスプレイ8が回動自在に取り付けられている。そしてドクターカート25およびドクターチェア26はそれぞれの下面に取り付けられたローラキャスタ9を介して収納キャビネット1内の両側方に移動して収納および引き出しが可能に構成されている。一方、床2には水平回転可能なターンテーブル19が本実施例では床面2aと同一面に設けられていて、収納キャビネット1がターンテーブル19外周近傍の上面に位置するように床面2aに配置されている。またターンテーブル19の駆動装置は図13に示すように床下2bに設けられている。
【００２０】
床下2bの構成は図13に示すようにPC床等の床下面27に複数のアジャスタ28を介して角パイプからなる補強梁29が水平に支持され、補強梁29の上面にターンテーブル19に略同径のキャスタ路面板30が設けられている。キャスタ路面板30の上方にはターンテーブル19が設けられ、ターンテーブル19はキャスタ取付板19aを介して複数のローラキャスタ31により回転可能に支えられている。またターンテーブル19の回転軸32はボールベアリング33にて回転自在に支えられており、回転軸32中心には配線34や配管35が挿通されている。これによりターンテーブル19が回転しても配線34や配管35がねじれたりしない。またターンテーブル19の中央には床下2bを管理するメンテナンス口36が着脱自在に設けられている。
【００２１】
更に、図2に示すようにターンテーブル19にはその上に歯科診療椅子37を搭載し、ターンテーブル19の回転により歯科診療椅子37が収納位置又は診療位置に移動したときにその位置を固定するロック機構が設けられている。図14に示すようにこのロック機構38は、（a）図に示すターンテーブル19の外周近傍に設置され、そのA−A矢示断面（b）（c）図に示すようにロック機構38はターンテーブル19を貫通して設けられている。このロック機構38は（b）図に示すようにロックピン39を備えた本体40がターンテーブル19側に固定され、ロックピン39を係合してロックするストッパ41が、キャスタ路面板面30における歯科診療椅子37の収納位置と、診療位置から180度離れた図示しない診療位置の２箇所に固定されている。
【００２２】
ロック機構38の作用としては、図14（b）に示すターンテーブル19がロックされている状態ではロックスイッチ42がバネ43の付勢でターンテーブル19の面から上方に突出し、ロックピン39がストッパ41に係合している。この状態からロックを解除する場合は、ターンテーブル19の面から上方に突出したロックスイッチ42を下方に押すことによりロックスイッチ42の下方に回転自在に設けられたローラ44が下降してローラガイド45の斜面を押圧する。これにより（c）図に示すようにローラガイド45が右側に後退し、ロックピン39がストッパ41から外れてロックが解除される。これによりターンテーブル19の回転が可能になる。
【００２３】
またロックピン39をターンテーブル19の回転方向に押圧しているアブソーバ46はストッパ41と共に２箇所に設けられており、（d）図に示すロック時にはターンテーブル19の回転力にてアブソーバ46が押され、ロックピン39がストッパ41に係合して係止状態が保たれている。またロックを解除する時には、（e）図に示すようにロックピン39がストッパ41から外れると同時にロックピン39がアブソーバ46に押圧されてストッパ41の係合位置がずらされる。これによりロックスイッチ42を押し続けなくてモータテーブル19は回転可能な状態が保たれる。またターンテーブル19が回転してロックピン39がキャスタ路面板30側の２箇所に設けられたストッパ41のいずれかに達したときにロックピン39がストッパ41に自動的に係止しロックされる。なお上記においてローラガイド45は図示しないバネの付勢により常に左方向（ロックピン39の係止方向）に押圧されている。
【００２４】
また、ターンテーブル19上に搭載された歯科診療椅子37は、その下面に図2に示す回転板47が設けられており、回転板47を介して回転することにより収納位置、診療位置、あるいはカウンセリング位置に向きを変え、その位置を図8に示すストッパ48にて固定することができる。そして診療位置以外の位置では診療ユニット６の作動ができないように構成されている。
【００２５】
上記構成において、本実施例では歯科診療椅子37が診療位置以外（カウンセリング位置や回転中）には診療ユニット６が作動しないようにする方法として、図15（a）（b）に示すように、回転板47の円周に沿った固定板49側にストッパAを、その対向位置にセンサAを設け、また回転方向90度の位置における固定板49側にストッパBを、その対向位置にセンサCを設け、一方、回転板47側にセンサBとその対向側にロックピン50を設けている。
【００２６】
この構成にて（a）図は歯科診療椅子37が診療位置に回転してロックピン50がストッパAに係合していることを示している。この状態で図示しない制御盤は歯科診療椅子37が診療位置にあると判断し、歯科診療椅子37を含む歯科診療ユニット６の作動が可能になる。またこの位置でストッパAを解除し、ロックピン50が外れると回転板４７が回転してセンサBがセンサAの対向面からずれて感知しなくなる。これにより制御盤は歯科診療椅子３７が診療位置にないと判断し、歯科診療椅子37を含む歯科診療ユニット６の作動が不可能になる。これにより安全が確保される。
【００２７】
（b）図は歯科診療椅子37が回転してロックピン50がストッパBに係合したことを示している。この場合はセンサBがセンサCと対向しており、制御盤は歯科診療椅子37がカウンセリング位置にあると判断して歯科診療椅子37の作動は可能になるが、その他の診療ユニット６の作動は不可能になる。即ち歯科診療ユニット６の作動が可能になるのはセンサA、Bが感知する診療位置だけである。
【００２８】
なお、（ｃ）図に示すようにロック機構51は、ロック時にはロックピン50がストッパ４８に対向して前進し、アブソーバ５２の側方からの押圧力に抗して係合する。解除時には（d）図に示すようにロックピン50が後退してストッパ４８から外れると共に、アブソーバ52にて回転方向に押され位置がずらされることにより係止が不可能な状態になる。なお（a）（b）図中の符号63は各センサに電気的に接続されたケーブルを示す。
【００２９】
図16（a）（b）は歯科診療椅子37が診療位置以外（収納位置や回転中）では歯科診療ユニット６が全て作動しないようにする方法を示している。この場合は、センサA、Cを床2側の対向した位置に固定し、センサBをターンテーブル19側に固定し、センサD、Eを床2側に固定したストッパA、B部に固定する。そして（a）図に示す状態からストッパAを解除するとロックピン50が外れてセンサDがストッパAからずれたことを認識し、ターンテーブル19をモータ回転させる（電動の場合のみ）。これによりターンテーブル19が回転し始め、センサA、Bが感知しなくなるので、制御盤は歯科診療椅子37が診療位置にないと判断し、歯科診療椅子37を含む歯科診療ユニットの作動が不可能になる。
【００３０】
（b）図は、ロックピン50がストッパBに係合したときにセンサEがこれを認識し、ターンテーブル19のモータ回転を停止させる（電動の場合のみ）。このときセンサA、Cが働き制御盤は歯科診療椅子37が収納状態にあると判断することを示している。勿論このときも歯科診療椅子37を含む歯科診療ユニット６の作動は不可能である。即ち、歯科診療椅子37を含む歯科診療ユニット６が作動できるのは、ストッパAにロックピン50が係合したことをセンサDが認識し、かつセンサA、Bが感知したときだけである。また逆動作でストッパAにロックピン50を係合させれば（戻れば）、歯科診療椅子37が診療位置にあると判断され通常の作動が可能になる。
【００３１】
図17は、歯科診療椅子37が診療位置以外の収納位置では歯科診療椅子37を含む歯科診療ユニット６の全てが作動しないようにする方法を示している。この場合は、マイクロスイッチA、Bを床2の対向位置に固定し、突起物53を回転板47に設け、センサA、Bは床2側のストッパA、B部に固定する。（a）図は突起物53がマイクロスイッチAを押してONにしている状態を示している。この場合、ストッパAを解除してロックピン５０が外れるとセンサAがストッパAからずれたことを認識し、ターンテーブル19を電動回転させる（電動の場合のみ）これによりターンテーブル19が回転し、突起物53がマイクロスイッチAから離れてOFFとなるために制御盤は歯科診療椅子37が診療位置にないと判断し、歯科診療椅子37を含む歯科診療ユニット６の作動が不可能になる。
【００３２】
（b）図は、ロックピン50がストッパBに係合したときにセンサBがストッパBに係合したことを認識し、ターンテーブル19の電動回転を停止させることを示す（電動の場合のみ）。このとき突起物53がマイクロスイッチBを押してONにするため、制御盤は歯科診療椅子37が収納位置にあると判断し、歯科診療椅子37を含む歯科診療ユニット６の作動が不可能になる。即ち歯科診療椅子37を含む歯科診療ユニット６の作動ができるのはストッパAにロックピン50が係合したことをセンサAが認識し、かつ突起物53がマイクロスイッチAをONにしたときのみである。また、逆動作でストッパAにロックピン50が係合（戻れば）すれば歯科診療椅子37が診療位置にあると判断され歯科診療椅子37を含む歯科診療ユニット６の作動が可能になる。
【００３３】
なお前記において、ターンテーブル19を回転させるために、本実施例ではローラキャスタ31（図13）を用いた例について説明したが、これに替えてエアキャスタを用いることができる。エアキャスタは圧縮空気を袋体に注入して膨張させることにより重量物をリフトアップすることができると共に、袋体の下面から噴出す圧縮空気にて床面との間に空気層を形成し、この空気層にて移動自在になるものである。
【００３４】
エアキャスタは図18（a）（b）図１９に示すように、複数のアジャスタ28にて水平に支持された補強梁29の上面にエアキャスタ路面板54が設けられており、このエアキャスタ路面板54とターンテーブル19の下面との間の円周に沿って複数個所に袋体からなるエアキャスタ55が設けられている。
【００３５】
図18（a）はエアキャスタ55に圧縮空気が注入されていない状態を示し、ターンテーブル19の下面がガイド56a、56bの上端に当接しターンテーブル19の上面が床面2aと同一面になっている。また（b）図は、エアキャスタ55に圧縮空気が注入された状態を示し、エアキャスタ55が膨張してターンテーブル19を持ち上げると同時にエアキャスタ55の下面に噴出する圧縮空気にてエアキャスタ路面板54との間に約0.1mmの図示しない空気層が形成され、ターンテーブル19が回転可能な状態になっている。この場合、ターンテーブル19の上面が床面2aから上方に持ち上げられているが、収納位置あるいは診療位置ではエアを抜くことにより下降して（a）図のとおりに床面と同一面に復元される。なお本実施例ではエアキャスタ55を方形に形成し、ターンテーブル19の円周に沿って複数個所に配設した例を示したが、方形に限らずターンテーブル19の円周に沿ったドーナッツ状のエアキャスタを用いてもよい。
【００３６】
ターンテーブル19の回転機構としては、図20から30に示す方法をとることができる。
図20は、モータ軸57に取り付けられたローラ58とターンテーブル19の外周との間にアイドルローラ59を介在させてローラ間の摩擦力にて回転動力を伝達する例である。
図21は、モータ軸57に取り付けられたギアAとターンテーブル19の回転軸32を中心に設けられたギアBとの間にアイドルギアCを介在させてギア相互の歯合により回転動力を伝達する例である。
図22は、モータ軸57に取り付けられたギアAとターンテーブル19の回転軸32を中心に設けられたギアBとを直接に歯合させて回転動力を伝達する例である。
図23は、モータ軸57に取り付けられたタイミングプーリAとターンテーブル19の回転軸32を中心に設けられたタイミングプーリBとの間をタイミングベルト60にて連結して回転動力を伝達する例である。
図24は、モータ軸57に取り付けられたスプロケットホイールAとターンテーブル19の回転軸32を中心に設けられたスプロケットホイールBとの間をチェーン61にて連結して回転動力を伝達する例である。
【００３７】
また、図25から30に示すように開閉扉3をターンテーブル19の回転に連動して開閉することもできる。
【００３８】
図25は、モータ軸57に設けられたギアAとターンテーブル19の回転軸32を中心に設けられたギアBとの間にアイドルギアCを介在させ、ギア相互間を歯合させると共に、開閉扉3の回転軸22に設けられたギアDをターンテーブル19の回転軸32中心に設けられたギアBに歯合させることにより開閉扉3の開閉をターンテーブル19の回転に連動させる例である。
図26は、モータ軸57に設けられたギアAとターンテーブル19の回転軸32を中心に設けられたギアBとを歯合させると共に、開閉扉3の回転軸22に設けられたギアCとターンテーブル19の回転軸32中心に設けられたギアBとの間にアイドルギアDを介在させ、ギア相互間を歯合させることにより開閉扉3の開閉をターンテーブル19の回転に連動させる例である。
図27は、モータ軸57に設けられたタイミングプーリAとターンテーブル19の回転軸32を中心に設けられたタイミングプーリBとの間をタイミングベルト62aにて連結すると共に、ターンテーブル19の回転軸32を中心に設けられたタイミングプーリBと開閉扉3の回転軸22に設けられたタイミングプーリCとの間をタイミングベルト62bにて連結して回転動力を伝達することにより開閉扉の開閉をターンテーブルの回転に連動させる例である。
【００３９】
図28は、ターンテーブル19の回転軸32にモータ軸57を直結すると共に、ターンテーブル19の回転軸32を中心に設けられたタイミングプーリAと開閉扉3の回転軸22に設けられたタイミングプーリBとの間をタイミングベルト62にて連結して回転動力を伝達することにより開閉扉3の開閉をターンテーブル19の回転に連動させる例である。
図29は、モータ軸57に取り付けられたスプロケットホイールAとターンテーブル19の回転軸32を中心に設けられたスプロケットホイールBとの間をチェーン61aにて連結すると共に、ターンテーブル19の回転軸32を中心に設けられたスプロケットホイールBと開閉扉3の回転軸22に取り付けられたスプロケットホイールCとの間をチェーン61bにて連結して回転動力を伝達することにより開閉扉3の開閉をターンテーブル19の回転に連動させる例である。
図30は、ターンテーブル19の回転軸32にモータ軸57を直結すると共に、ターンテーブル19の回転軸32を中心に設けられたスプロケットホイールAと開閉扉3の回転軸22に取り付けられたスプロケットホイールBとの間をチェーン61にて連結して回転動力を伝達することにより開閉扉3の開閉をターンテーブル19の回転に連動させる例である。
【００４０】
上記図25から30において駆動源としてのモータをターンテーブル19側に設けた例について説明したが、モータ18を開閉扉側に設けてもよい。この場合、モータ18を駆動せずに開閉扉3を手動回転させ、ターンテーブル１９を連動回転させることもできる。
なお、上記連動回転おいてドクターカート25およびドクターチェア26は収納キャビネット１内にて歯科診療椅子37の両側方におけるターンテーブル19外の床上に収納されているので、ターンテーブル19と開閉扉3を同時回転しても歯科診療椅子37がドクターカート25やドクターチェア26に当接する恐れはない。
【００４１】
以下に、上記構成の回転収納式歯科診療ユニットの作用について説明する。
先ず初めに、図1に示す収納キャビネット1内に図3に示す歯科診療椅子37、ドクターカート25、ドクターチェア26、スピットン23、アシスタントハンガ24、無影灯7、ディスプレイ8および図示しないフットコントローラ、パソコン一式などの歯科診療ユニットが収納され、外部環境から遮断され、内部は殺菌灯の照射により衛生状態が保たれている。なおターンテーブル19はこの状態で回転がロックされている。
【００４２】
次に図2に示すように開閉扉3を90度に開く。その位置は図14に示すロック装置38にてロックされる。次に図3に示すように開閉扉3の上辺に設けられた上蓋4を垂直上方に開いてロック（不図示）し空間を仕切るパーテーションとする。引き続いて収納キャビネット1の前面上方に設けられた前蓋5を上方に開いてロック（不図示）する。これにて各診療機器を収納キャビネット1から取り出せる状態になる。次に図4に示すようにドクターカート25およびドクターチェア26を、ローラキャスタ9を介して診療位置に引き出す。
【００４３】
次にターンテーブル19のロックを解除し、図5に示すように回転させて歯科診療椅子37を診療位置に移動させる。この位置でターンテーブル19はロックされる。また配線34や配管35はターンテーブル１９の回転軸32の中心に挿通されているのでターンテーブル１９を回転してもねじれたりする恐れはない。なお歯科診療椅子37が診療位置に移動することにより歯科診療ユニット６の作動が可能になる。
【００４４】
次に図6に示すように無影灯7、ディスプレイ8、スピットン23、アシスタントハンガ24，図示しないフットコントローラを診療位置に展開する。次に図7に示すように歯科診療椅子37のバックレスト37aを診療位置まで倒し、全ての診療器具が診療態勢になる。またカウンセリングを行う場合は図8に示すように歯科診療椅子37を回転してスピットン23およびアシスタントハンガ24が設けられた開閉扉3側に向ける。この場合、歯科診療椅子37以外の診療器具の作動は不可能である。
【００４５】
歯科診療ユニット６を収納する場合は、以上に述べた順序を逆に行う。即ちスピットン23およびアシスタントハンガ24を元の位置に収め、歯科診療椅子37が診療態勢にあることを確認し、バックレスト37aを垂直に起こす。引き続いてターンテーブル19のロックを解除して回転し、歯科診療椅子37が収納キャビネット1の収納位置に移動したところで回転がロックされる。またドクターカート25およびドクターチェア26のそれぞれは収納された歯科診療椅子27の左右に手押しで移動して収納する。次に前蓋5を閉じると共に開閉扉3を閉止し、上蓋4を閉止することにより開閉扉3の内壁面に設けられたスピットン23およびアシスタントハンガ24が歯科診療椅子37の座部37b上方の空間に収納され、歯科診療ユニット６の全てがコンパクトに収納される。なお上記においてドクターカート25およびドクターチェア26は、引き出し又は収納時にターンテーブル１９に載せて移動してもよい。
【実施例２】
【００４６】
図31から図33は本発明の実施例２を示し、図31はスピットンおよびアシスタントハンガを歯科診療椅子に備えた正面図、図32および図33は作用説明図である。
本実施例は、前記実施例において開閉扉3の内壁面にスピットン23およびアシスタントハンガ24を設けたことに替えて、図31に示すようにスピットン23およびアシスタントハンガ24を歯科診療椅子37の側方に設けもので、その他の構成は前記実施例1と同様であるのでその説明を省略する。この場合、収納時には図32に示すようにスピットン23およびアシスタントハンガ24を診療位置から歯科診療椅子37の側方に寄せ、バックレスト37aを収納キャビネット1の奥壁側に向けてコンパクトに収納し、ドクターカート25およびドクターチェア26のそれぞれを歯科診療椅子37の側方に移動して収納する。診療時には図33に示すようにドクターカート25およびドクターチェア26を診療位置に引き出し、スピットン23およびアシスタントハンガ24を診療に好都合な位置に展開する。
【００４７】
また、前記実施例１および２ではターンテーブル19の上面を床面2aと同一面する例について説明したが、同一面に限らず、ターンテーブルを床面2aに設置することもできる。この場合は床面2aとターンテーブル19の面との間に段差が生じるので乗り降りを容易にするステップ等の手段を講じることが望ましい。また、ターンテーブル19と床下面27との間には樋や受け皿等が設けられており、誤って床に薬液をこぼした場合や掃除のときにワックスが隙間からこぼれおちて受け皿で受けられた場合などに備えてターンテーブル19の中央にはメンテナンス口36が設けられているので、メンテナンス口36を通じてこれらの管理が可能である。
【００４８】
以上により本発明の回転収納式歯科診療ユニットは、歯科診療椅子37をターンテーブル19に搭載して回転することにより歯科診療椅子37を診療位置に容易に移動することが可能になると共にターンテーブル19上にて歯科診療椅子37を回転可能に構成することにより、歯科診療椅子37を診療態勢および収納態勢にすることが容易であり、開閉扉3の内壁面に設けられたスピットン23およびアシスタントハンガ24を歯科診療椅子37の座部37b上方の空間に収納することが可能となる。これにより収納空間を有効利用して収納キャビネット1が床面を占める面積を削減することができ、その分、歯科診療室内に多目的空間を広く形成することが可能になる。
【００４９】
なお前記実施１および２におけるターンテーブルは、ターンテーブルに限らず、また回転軸がなくても歯科診療ユニットを搭載して移動できれば、例えば円又は楕円などの軌跡に沿って移動させる方法、レールなどによる移動、または一点を中心に回転する腕による移動などの手段も可能である。
【図面の簡単な説明】
【００５０】
【図１】収納キャビネットとターンテーブルの概略を示す斜視図である。 （実施例１）
【図２】回転収納式歯科診療ユニットの作用を説明する斜視図である。  （実施例１）
【図３】回転収納式歯科診療ユニットの作用を説明する斜視図である。  （実施例１）
【図４】回転収納式歯科診療ユニットの作用を説明する斜視図である。  （実施例１）
【図５】回転収納式歯科診療ユニットの作用を説明する斜視図である。  （実施例１）
【図６】回転収納式歯科診療ユニットの作用を説明する斜視図である。  （実施例１）
【図７】回転収納式歯科診療ユニットの作用を説明する斜視図である。  （実施例１）
【図８】回転収納式歯科診療ユニットの作用を説明する斜視図である。  （実施例１）
【図９】開閉扉の緩衝装置付きローラキャスタを示すである。  （実施例１）
【図１０】開閉扉の緩衝装置付きローラキャスタを示す図である。  （実施例１）
【図１１】開閉扉の緩衝装置付きローラキャスタを示す図である。  （実施例１）
【図１２】開閉扉の緩衝装置付きローラキャスタを示す図である。  （実施例１）
【図１３】床下の構成を示す一部断面図である。      （実施例１）
【図１４】ターンテーブルのロック機構の説明図である。    （実施例１）
【図１５】歯科診療椅子のロック機構の説明図である。      （実施例１）
【図１６】歯科診療椅子のロック機構の説明図である。      （実施例１）
【図１７】歯科診療椅子のロック機構の説明図である。      （実施例１）
【図１８】エアキャスタを説明する一部断面図である。    （実施例１）
【図１９】エアキャスタの配置を示す斜視図である。  （実施例１）
【図２０】ターンテーブルの駆動を示す図である。  （実施例１）
【図２１】ターンテーブルの駆動を示す図である。  （実施例１）
【図２２】ターンテーブルの駆動を示す図である。  （実施例１）
【図２３】ターンテーブルの駆動を示す図である。  （実施例１）
【図２４】ターンテーブルの駆動を示す図である。  （実施例１）
【図２５】ターンテーブルの駆動を示す図である。  （実施例１）
【図２６】ターンテーブルの駆動を示す図である。  （実施例１）
【図２７】ターンテーブルの駆動を示す図である。  （実施例１）
【図２８】ターンテーブルの駆動を示す図である。  （実施例１）
【図２９】ターンテーブルの駆動を示す図である。  （実施例１）
【図３０】ターンテーブルの駆動を示す図である。  （実施例１）
【図３１】スピットンおよびアシスタントハンガを歯科診療椅子に備えた正面図である。（実施例２）
【図３２】図30の作用説明図である。  （実施例２）
【図３３】図30の作用説明図である。  （実施例２）
【図３４】従来例の説明図である。
【符号の説明】
【００５１】
1  収納キャビネット
2  床
3  開閉扉  
4  上蓋
5  前蓋
6  歯科診療ユニット
7  無影灯
8  ディスプレイ
9、31  ローラキャスタ
10  緩衝装置
11、43  バネ
12  ガイド軸
13  アングル
14、57  モータ軸
15  キャスタ軸
16  タイミングプーリ
17、60，62  タイミングベルト
18  モータ
19  ターンテーブル
20  スプロケットホイール
21、61  チェーン
22  開閉扉の回転軸
23  スピットン
24  アシスタントハンガ
25  ドクターカート
26  ドクターチェア
27  床下面
28  アジャスタ
29  補強梁
30  キャスタ路面板
32  回転軸
33  ボールベアリング
34  配線
35  配管
36  メンテナンス口
37  歯科診療椅子
38、51  ロック機構
39、50  ロックピン
40 本体
41、48 ストッパ
42  ロックスイッチ
44、58 ローラ
45  ローラガイド  
46、52  アブソーバ
47  回転板
49  固定板
53  突起物    
54  エアキャスタ路面板
55  エアキャスタ
56  ガイド
59  アイドルローラ
60、62  タイミングベルト
63  ケーブル
【図１】
0005396655.tif 000002
【図２】
0005396655.tif 000003
【図３】
0005396655.tif 000004
【図４】
0005396655.tif 000005
【図５】
0005396655.tif 000006
【図６】
0005396655.tif 000007
【図７】
0005396655.tif 000008
【図８】
0005396655.tif 000009
【図９】
0005396655.tif 000010
【図１０】
0005396655.tif 000011
【図１１】
0005396655.tif 000012
【図１２】
0005396655.tif 000013
【図１３】
0005396655.tif 000014
【図１４】
0005396655.tif 000015
【図１５】
0005396655.tif 000016
【図１６】
0005396655.tif 000017
【図１７】
0005396655.tif 000018
【図１８】
0005396655.tif 000019
【図１９】
0005396655.tif 000020
【図２０】
0005396655.tif 000021
【図２１】
0005396655.tif 000022
【図２２】
0005396655.tif 000023
【図２３】
0005396655.tif 000024
【図２４】
0005396655.tif 000025
【図２５】
0005396655.tif 000026
【図２６】
0005396655.tif 000027
【図２７】
0005396655.tif 000028
【図２８】
0005396655.tif 000029
【図２９】
0005396655.tif 000030
【図３０】
0005396655.tif 000031
【図３１】
0005396655.tif 000032
【図３２】
0005396655.tif 000033
【図３３】
0005396655.tif 000034
【図３４】
0005396655.tif 000035